(57)【特許請求の範囲】
【請求項１】
部屋の入退室をＩＤ判別装置によるＩＤ判別で行い、部屋に入室後、キーをキーボックスから取り出し、所定のエリアをキーで開放するセキュリティシステムにおいて、
入室時にＩＤ判別するＩＤ判別装置は、ＩＤ判別に基づき照合結果ＯＫ時となった入室者のＩＮフラグを前記キーボックスの記憶部に記憶すると共に、退室時にＩＤ判別するＩＤ判別装置は、ＩＤ判別に基づき照合結果ＯＫ時となった前記記憶部内に退室者のＩＮフラグが記憶されていれば、退室者のテナントの他の人のＩＮフラグが記憶されているか否かを判定し、判定結果、他の人のＩＮフラグが記憶されていれば退室者のＩＮフラグを消去し、他の人のＩＮフラグが記憶されていなければ、退室者のテナントのキーが前記キーボックスに収納されているかを判定し、退室者のテナントのキーが収納されていれば、退室者のＩＮフラグを消去し、
前記キーボックスは、入室時にＩＤ判別するＩＤ判別装置によるＩＤ判別に基づく入室者のＩＮフラグの記憶がなければキーの取り出しを不可能にすることを特徴とするセキュリティシステム。
【請求項２】
請求項１に記載のセキュリティシステムにおいて、
退室時にＩＤ判別するＩＤ判別装置は、最終退室者のキーが前記キーボックスに返却収納されていなければ退室を不可能にすることを特徴とするセキュリティシステム。
【請求項３】
請求項２に記載のセキュリティシステムにおいて、
退室時にＩＤ判別するＩＤ判別装置は、ＩＤ判別時に最終退室者のキーがキーボックスに収納されている否かを表示器により表示することを特徴とするセキュリティシステム。
【発明の詳細な説明】
【０００１】
【発明の属する技術分野】
この発明は、ＩＤ判別装置を使ったセキュリティシステムに関するものである。
【０００２】
【従来の技術】
近年、インターネットプロバイダ等のサーバーをテナントとして預かるデータセンターが計画されているが、それらは１室の中に例えばラックに多くのサーバーが収納される為、セキュリティレベルが落ちないように、ラック用キーとしてキーボックスに収納されたメカニカルキーを使ってセキュリティを保つようにしている。
【０００３】
【発明が解決しようとする課題】
しかしながら、上述した従来のセキュリティシステムにおいては、キーボックスに収納されたキーの管理が難しく、一定したセキュリティレベルを保持することが困難であった。
【０００４】
この発明は上述した点に鑑みてなされたもので、キーの取り出しを規制してセキュリティレベルを保持することができるセキュリティシステムを提供することを目的とする。
【０００５】
【課題を解決するための手段】
この発明に係るセキュリティシステムは、部屋の入退室をＩＤ判別装置によるＩＤ判別で行い、部屋に入室後、キーをキーボックスから取り出し、所定のエリアをキーで開放するセキュリティシステムにおいて、入室時にＩＤ判別するＩＤ判別装置は、ＩＤ判別に基づき照合結果ＯＫ時となった入室者のＩＮフラグを前記キーボックスの記憶部に記憶すると共に、退室時にＩＤ判別するＩＤ判別装置は、ＩＤ判別に基づき照合結果ＯＫ時となった前記記憶部内に退室者のＩＮフラグが記憶されていれば、退室者のテナントの他の人のＩＮフラグが記憶されているか否かを判定し、判定結果、他の人のＩＮフラグが記憶されていれば退室者のＩＮフラグを消去し、他の人のＩＮフラグが記憶されていなければ、退室者のテナントのキーが前記キーボックスに収納されているかを判定し、退室者のテナントのキーが収納されていれば、退室者のＩＮフラグを消去し、前記キーボックスは、入室時にＩＤ判別するＩＤ判別装置によるＩＤ判別に基づく入室者のＩＮフラグの記憶がなければキーの取り出しを不可能にすることを特徴とするものである。
【０００６】
また、退室時にＩＤ判別するＩＤ判別装置は、最終退室者のキーが前記キーボックスに返却収納されていなければ退室を不可能にすることを特徴とするものである。
【０００７】
また、退室時にＩＤ判別するＩＤ判別装置は、ＩＤ判別時に最終退室者のキーがキーボックスに収納されている否かを表示器により表示することを特徴とするものである。
【００１０】
【発明の実施の形態】
この発明に係るセキュリティシステムは、入室した人しかキーをキーボックスから取り出させないようにする。また、キーがキーボックスに返却されなければ退室できないようにしてセキュリティレベルをアップさせる。
【００１１】
以下、具体的な実施の形態について説明する。
実施の形態１．
図１は、この発明の実施の形態１に係るセキュリティシステムの全体構成を示すレイアウト図である。
図１において、１は部屋への入退室用電気錠付扉、２Ａと２Ｂは入室時と退室時にそれぞれＩＤ判別するためのカードリーダ、３は後述するラックの複数のテナントに対応するキーを収納するキーボックス、４は各テナント機器である例えば複数のサーバーが入っているラックである。
【００１２】
また、図２は、前記カードリーダ２Ａ及び２Ｂの外観図を示す。
図２に示すように、カードリーダ２Ａ及び２Ｂには、リーダヘッド２ａと、ＩＤ判別結果「ＯＫ」または「ＮＧ」を表示する表示器２ｂがそれぞれ備えられている。
【００１３】
また、図３は、前記キーボックス３の外観図を示す。
図３に示すように、キーボックス３には、リーダヘッド３ａと、ＩＤ判別結果「ＯＫ」または「ＮＧ」を表示する表示器３ｂと、テンキー３ｃと、各テナントのキーを複数区画されたボックスにそれぞれ収納するキー収納部３ｄが備えられている。なお、区画された各ボックスには蓋が設けられロックがかかるようになされており、テンキー３ｃからの番号入力により該当するボックスのロックを外し蓋を開けキーを取り出しまたは収納し、蓋を閉めると再びロックがかかるようにしている。
【００１４】
さらに、図３は、前記カードリーダ２Ａ及び２Ｂと前記キーボックス３の内部構成を示すブロック図である。
図３に示すように、カードリーダ２Ａには、上述したリーダヘッド２ａ及び表示器２ｂの他に、各種制御手段としてのＣＰＵ２ｃと、処理プログラム及び固定データを記憶したＲＯＭ２ｄと、処理データ及び入力データを一時記憶するＲＡＭ２ｅと、伝送装置２ｆとを備えている。また、カードリーダ２Ｂにも、同様なリーダヘッド２ａ、表示器２ｂ、ＣＰＵ２ｃ、ＲＯＭ２ｄ、ＲＡＭ２ｅ及び伝送装置２ｆが備えられている。
【００１５】
さらに、キーボックス３には、上述したリーダヘッド３ａ、表示器３ｂ、テンキー３ｃ及びキー収納部３ｄの他に、各種制御手段としてのＣＰＵ３ｅと、処理プログラム及び固定データを記憶したＲＯＭ３ｆと、処理データ及び入力データを一時記憶するＲＡＭ３ｇと、伝送装置３ｈとを備えており、カードリーダ２Ａと２Ｂの伝送装置２ｆ間が接続され、カードリーダ２Ｂの伝送装置２ｆとキーボックス３の伝送装置３ｈ間が接続されている。
【００１６】
次に、上記構成に係る動作について、図５に示すカードリーダ２Ａ及び２Ｂの動作フローチャートと図６に示すキーボックス３の動作フローチャートを参照して説明する。なお、図５は、ＲＯＭ２ｄに格納されてＣＰＵ２ｃの制御に基づいて動作し、同様に、図６は、ＲＯＭ３ｆに格納されてＣＰＵ３ｅの制御に基づいて動作する。
【００１７】
まず、部屋への入室時は、入室用カードリーダ２Ａにより入室者が所持するカードがリードされたか否かが判定される（ステップＳ１）。リードされたＩＤ番号が予め設定された番号と照合され、照合結果ＯＫのとき（ステップＳ２）は表示器２ｂのＯＫ灯を点灯表示する（ステップＳ３）と共に、キーボックス３のＲＡＭ３ｇに照合結果ＯＫとなった入室者のＩＮフラグを記憶させる（ステップＳ４）。そして、扉１の電気錠が一時解錠され（ステップＳ５）、これによって、入室者は扉１を開けて部屋内に入室することができる（ステップＳ６）。なお、ステップＳ２でのＩＤ番号の照合結果、ＮＧのときは表示器２ｂのＮＧ灯が点灯表示され、ステップＳ１へリターンする（ステップＳ３→Ｓ１）。
【００１８】
次に、退室時に、入室用カードリーダ２Ａではなく、退室用カードリーダ２Ｂにより退室者が所持するカードがリードされたか否かが判定される（ステップＳ１→Ｓ８）。リードされたＩＤ番号が予め設定された番号と照合され、照合結果ＯＫのとき（ステップＳ９）は、ＲＡＭ３ｇ内に退室者のＩＮフラグが記憶させているかが判定される（ステップＳ１０）。退室者のＩＮフラグが記憶されていれば、次に、ＲＡＭ３ｇ内に退室者のテナントの他の人のＩＮフラグが記憶されているか否かを判定し（ステップＳ１１）、記憶されていなければ、表示器２ｂのＯＫ灯を点灯表示し（ステップＳ１２）、扉１の電気錠を一時解錠すると共に退室者のＩＮフラグを消去する（ステップＳ１３，Ｓ１４）。これによって、退室者は扉１を開けて部屋から退室することができる（ステップＳ１５）。なお、ステップＳ９でのＩＤ番号の照合結果、ＮＧのときは表示器２ｂのＮＧ灯が点灯表示され、ステップＳ１へリターンする（ステップＳ１６→Ｓ１）。
【００１９】
また、ステップＳ１１での判定結果、ＲＡＭ３ｇ内に退室者のテナントの他の人のＩＮフラグが記憶されていない場合には、退室者自身が該当テナントの最終退室者になるので、最終退室者のテナントのキーがキーボックス３に収納されているかが判定され（ステップＳ１７）、収納されていれば、表示器２ｂのＯＫ灯が点灯表示されると共に扉１の電気錠が一時解錠され、かつ退室者のＩＮフラグが消去される（ステップＳ１１→Ｓ１７→Ｓ１８→Ｓ１３、Ｓ１４）。これによって、退室者は扉１を開けて部屋から退室することができる（ステップＳ１５）。なお、上記ステップＳ１７での判定結果、最終退室者のテナントのキーがキーボックス３に収納されていなければ、表示器２ｂのＮＧ灯が点灯表示され（ステップＳ１９）、ステップＳ１→Ｓ２へリターンされる。すなわち、最終退室者のキーがキーボックスに返却収納されていなければ退室を不可能にしている。
【００２０】
次に、キーボックス３は、キーの取り出し及び収納時に図６に示すフローチャートに従って動作する。
まず、カードがリードされたか否かが判定される（ステップＳ２１）。リードされたＩＤ番号が予め設定された番号と照合され、照合結果ＯＫのとき（ステップＳ２２）は、ＲＡＭ３ｇ内にカードがリードされた人のＩＮフラグが記憶させているかが判定される（ステップＳ２３）。ＩＮフラグが記憶されていれば、表示器３ｂのＯＫ灯を点灯表示し（ステップＳ２４）、キー収納部３ｄに区画されたボックスの該当番号をテンキー３ｃから入力する（なお、複数収納されているときは複数の番号を入力する）（ステップＳ２５）。これにより、該当部分のボックスのロックが外れ蓋を開けることで、ボックス内からキーを取り出しまたはボックス内へのキー収納を行うことができ、蓋を閉めると再びロックがかかる（ステップ２６〜Ｓ２８）。すなわち、キーボックス３は、入室用カードリーダ２ＡによるＩＤ判別に基づく入室でなければ（ＩＮフラグの記憶がなければ）、キーの取り出しを不可能にしている。なお、上記ステップＳ２１，Ｓ２２，Ｓ２３での判定結果、ＮＯとなったときはステップＳ２１にリターンし、ステップＳ２２及びＳ２３では表示器３ｂのＮＧ灯が点灯表示される（ステップＳ２９）。
【００２１】
この発明は、上述した実施の形態１の他に下記のような実施の形態を採用することができる。
実施の形態２．
退室用カードリーダ２Ｂに、キー収納の有無を表示するようにしても良い。
実施の形態３．
退室用カードリーダ２Ｂに、最終退室者であること、キー収納の有無等をカードリーダの照合結果ＮＧの時だけその旨を表示するようにして良い。
実施の形態４．
退室時はキーの返却収納が必要であるが、そのキー収納条件を所定の設定またはキー入力でなくすようにするか、または操作ミスで退室できなくなった人に対してのみなくすようにしても良い。その場合、キーが収納されていなくても退室用カードリーダによるＩＤ判別のみで退室可能にしても良い。
実施の形態５．
入室した人のみキーボックスからキーを取り出すようにする条件を所定の設定またはキー入力で無視するようにしても良い。その場合、入室用カードリーダによるＩＤ判別のみでキーの取り出しを可能にしても良い。
実施の形態６．
部屋内はラックによる収納だけでなく、一部の床エリアをテナント貸しする場合に、そこにＩＤ判別装置を設置し、入退室制御するようにした場合でも同様に実施できる。
つまり、入室した人しかそのエリアに入れない（ＩＤ判別がＮＧになる）。施錠後でなければ退室できない。
実施の形態７．
ＩＤ判別装置は、カードリーダ（磁気、光、非接触等を利用したもの）やテンキーまたはバイオメトリクスＩＤ（指紋、網膜、アイレス等）を利用したものでもよく、また併用しても良い。
【００２２】
【発明の効果】
以上のように、この発明によれば、部屋の入退室をＩＤ判別装置によるＩＤ判別で行い、部屋に入室後、キーをキーボックスから取り出し、所定のエリアをキーで開放するセキュリティシステムにおいて、前記キーボックスにより、前記ＩＤ判別装置によるＩＤ判別に基づく入室でなければキーの取り出しを防ぐようにしたので、キーの取り出しを規制してセキュリティレベルを向上させることができる。
【００２３】
また、退室時にＩＤ判別するＩＤ判別装置により、最終退室者のキーが前記キーボックスに返却収納されていなければ退室を不可能にすることができ、キーの返却を確実にしてセキュリティレベルを向上させることができる。
【図面の簡単な説明】
【図１】  この発明の実施の形態１に係るセキュリティシステムの全体構成を示すレイアウト図である。
【図２】  図１のカードリーダの外観図である。
【図３】  図１のキーボックスの外観図である。
【図４】  図１のカードリーダ及びキーボックスの内部構成図である。
【図５】  図１のカードリーダの動作を説明するフローチャートである。
【図６】  図１のキーボックスの動作を説明するフローチャートである。
【符号の説明】
１  電気錠付き扉、２Ａ，２Ｂ  カードリーダ、２ａ  リーダヘッド、２ｂ  表示器、２ｃ  ＣＰＵ、２ｄ  ＲＯＭ、２ｅ  ＲＡＭ、２ｆ  伝送装置、３  キーボックス、３ａ  リーダヘッド、３ｂ  表示器、３ｃ  テンキー、３ｄ  キー収納部、３ｅ  ＣＰＵ、３ｆ  ＲＯＭ、３ｇ  ＲＡＭ、３ｈ  伝送装置。
【図１】
0004157952.tif 000002
【図２】
0004157952.tif 000003
【図３】
0004157952.tif 000004
【図４】
0004157952.tif 000005
【図５】
0004157952.tif 000006
【図６】
0004157952.tif 000007